(57)【特許請求の範囲】
【請求項１】
媒体が搬送される搬送方向に直交する幅方向の長さが搬送される媒体の前記幅方向の長さよりも長く、前記搬送方向に沿って配される下搬送ガイドと、
前記搬送方向に沿って前記下搬送ガイドに対向し互いに前記幅方向に媒体の前記幅方向の長さよりも短い間隔を空けて２本平行に配され、前記下搬送ガイドとの間で媒体を挟持し、掛け渡されるローラが回転することにより挟持される媒体を搬送する搬送ベルトと、
前記下搬送ガイドと対向して設けられ、搬送される媒体の前記幅方向の両端部が前記下搬送ガイドとの間に位置するように、該下搬送ガイドに対して所定間隔離間し、前記幅方向における２本の前記搬送ベルトに挟まれた領域の外側に前記搬送ベルトを前記幅方向に挟んでそれぞれ配される上搬送ガイドと
を有し、
前記幅方向における２本の前記搬送ベルトに挟まれた領域の内側で前記媒体が目視可能であることを特徴とする搬送路。
【請求項２】
前記下搬送ガイド同士の間に配され前記媒体の前記搬送方向を切り替える切替ブレード
をさらに有することを特徴とする請求項１に記載の搬送路。
【請求項３】
前記下搬送ガイドは、前記媒体の前記搬送方向に沿って複数配される
ことを特徴とする請求項１に記載の搬送路。
【請求項４】
前記下搬送ガイドは、前記搬送ベルトと対向する面が半円状である
ことを特徴とする請求項３に記載の搬送路。
【請求項５】
前記上搬送ガイドは、光透過性の部材で形成される
ことを特徴とする請求項１に記載の搬送路。
【請求項６】
前記上搬送ガイドは、
前記搬送方向の所定の位置を軸中心として回転可能に支持される
ことを特徴とする請求項１に記載の搬送路。
【請求項７】
前記上搬送ガイドは、
前記搬送方向に沿って複数の貫通した孔が設けられるフレーム部と、
前記フレーム部に設けられる孔に配され、光透過性の部材でなる小窓部と
を有することを特徴とする請求項１に記載の搬送路。
【請求項８】
前記小窓部は、
前記幅方向の所定の位置を軸中心として回転可能に前記フレーム部に支持される
ことを特徴とする請求項７に記載の搬送路。
【請求項９】
前記小窓部は、
前記フレーム部に対して着脱自在に配される
ことを特徴とする請求項７に記載の搬送路。
【請求項１０】
媒体を搬送する搬送路と、
前記搬送路を介して搬送される媒体を収納するカセット部と
を有し、
前記搬送路は、
媒体が搬送される搬送方向に直交する幅方向の長さが搬送される媒体の前記幅方向の長さよりも長く、前記搬送方向に沿って配される下搬送ガイドと、
前記搬送方向に沿って前記下搬送ガイドに対向し互いに前記幅方向に媒体の前記幅方向の長さよりも短い間隔を空けて２本平行に配され、前記下搬送ガイドとの間で媒体を挟持し、掛け渡されるローラが回転することにより挟持される媒体を搬送する搬送ベルトと、
前記下搬送ガイドと対向して設けられ、搬送される媒体の前記幅方向の両端部が前記下搬送ガイドとの間に位置するように、該下搬送ガイドに対して所定間隔離間し、前記幅方向における２本の前記搬送ベルトに挟まれた領域の外側に前記搬送ベルトを前記幅方向に挟んでそれぞれ配される上搬送ガイドと
を有し、
前記幅方向における２本の前記搬送ベルトに挟まれた領域の内側で前記媒体が目視可能であることを特徴とする媒体取引装置。
【発明の詳細な説明】
【技術分野】
【０００１】
本発明は、搬送路及び媒体取引装置に関し、例えば現金等の媒体を投入して所望の取引を行う現金自動預払機（ＡＴＭ）等に適用して好適なものである。
【背景技術】
【０００２】
従来、金融機関等で使用される媒体取引装置等においては、搬送路に紙幣のばたつきや端部の跳ね上げ等を防止するための搬送ガイドが該紙幣全面を覆うように設けられた装置が提案されている（例えば、特許文献１を参照）。
【０００３】
一例として図１１に示すように、紙幣ＢＬを搬送する搬送路２００は、紙幣を搬送する方向（以下、これを搬送方向とも呼ぶ）に沿って上下方向に対向するようにして配される搬送ベルト２０１Ａ及び２０１Ｂがそれぞれ２本ずつ設けられる。
【０００４】
搬送ベルト２０１Ａ及び２０１Ｂは、搬送方向に沿って離間して配される一対の搬送ローラ２０２Ａ及び２０２Ｂにそれぞれ掛け渡され、上下方向から紙幣ＢＬを挟持する。
【０００５】
搬送路２００は、搬送ローラ２０２Ａ及び２０２Ｂが回転することにより、搬送ベルト２０１Ａ及び２０１Ｂが紙幣ＢＬを挟持したまま移動し、該紙幣ＢＬを搬送方向に沿って搬送する。
【０００６】
搬送路２００は、搬送方向とは直交する方向（以下、これを幅方向とも呼ぶ）に紙幣ＢＬの幅よりも広い幅を有する金属材でなる搬送ガイド２０３Ａ及び２０３Ｂが、紙幣ＢＬを挟持する搬送ベルト２０１Ａ及び２０１Ｂを挟むように上下方向に隣接して配される。
【０００７】
これにより搬送路２００は、搬送ガイド２０３Ａ及び２０３Ｂで紙幣ＢＬの全面を覆うようにして該紙幣ＢＬを搬送するので、搬送ガイド２０３Ａ及び２０３Ｂで紙幣ＢＬのばたつきや端部の跳ね上げ等を抑制させ、紙幣ＢＬが他の部品等に接触するなどしてジャム（紙幣詰まり）が発生することを低減することができる。
【０００８】
なお搬送路２００は、紙幣残留検知センサ２０４が設けられ、ジャム（紙幣詰まり）の発生を検知し、装置全体の運用を停止させてジャムの発生及び発生箇所を報知する。
【先行技術文献】
【特許文献】
【０００９】
【特許文献１】特開２０１０−１８６４４８公報
【発明の概要】
【発明が解決しようとする課題】
【００１０】
ところで、上述した搬送路２００は、搬送ガイド２０３Ａ及び２０３Ｂが紙幣ＢＬの全面を覆うように配されているので、外部から目視で紙幣ＢＬの位置を確認させることができない。
【００１１】
この点、搬送路２００は、紙幣残留検知センサ２０４が設けられているものの、検知範囲には限界があり、その数を増やすと電気部品や制御プログラムも同時に必要となり、部品増によるコストアップや制御の複雑性が増大する。
【００１２】
また搬送路２００内に残留する紙幣ＢＬの半券や切れ端等は、搬送ベルト２０１Ａ及び２０１Ｂから外れている場合もあり、その場合にはユーザによって除去しなければならないが、搬送路２００内が搬送ガイド２０３Ａ及び２０３Ｂにより目視できないと紙幣ＢＬの半券や切れ端等の位置を確認することができない。
【００１３】
このように従来の搬送路２００は、ジャム等が発生した場合のメンテナンス性が悪いといった問題があった。
【００１４】
本発明は以上の点を考慮してなされたもので、簡易な構成でメンテナンス性を向上し得る搬送路及び媒体取引装置を提案しようとするものである。
【課題を解決するための手段】
【００１５】
かかる課題を解決するため本発明は、搬送路であって、媒体が搬送される搬送方向に直交する幅方向の長さが搬送される媒体の幅方向の長さよりも長く、搬送方向に沿って配される下搬送ガイドと、搬送方向に沿って下搬送ガイドに対向し互いに幅方向に媒体の幅方向の長さよりも短い間隔を空けて２本平行に配され、下搬送ガイドとの間で媒体を挟持し、掛け渡されるローラが回転することにより挟持される媒体を搬送する搬送ベルトと、下搬送ガイドと対向して設けられ、搬送される媒体の幅方向の両端部が下搬送ガイドとの間に位置するように、該下搬送ガイドに対して所定間隔離間し、幅方向における２本の搬送ベルトに挟まれた領域の内側を除く当該領域の外側に搬送ベルトを幅方向に挟んでそれぞれ配される上搬送ガイドとを有し、幅方向における２本の搬送ベルトに挟まれた領域の内側で媒体が目視可能である。
【００１６】
また本発明は、媒体取引装置であって、媒体を搬送する搬送路と、搬送路を介して搬送される媒体を収納するカセット部とを有し、搬送路は、媒体が搬送される搬送方向に直交する幅方向の長さが搬送される媒体の幅方向の長さよりも長く、搬送方向に沿って配される下搬送ガイドと、搬送方向に沿って下搬送ガイドに対向し互いに幅方向に媒体の幅方向の長さよりも短い間隔を空けて２本平行に配され、下搬送ガイドとの間で媒体を挟持し、掛け渡されるローラが回転することにより挟持される媒体を搬送する搬送ベルトと、下搬送ガイドと対向して設けられ、搬送される媒体の幅方向の両端部が下搬送ガイドとの間に位置するように、該下搬送ガイドに対して所定間隔離間し、幅方向における２本の搬送ベルトに挟まれた領域の内側を除く当該領域の外側に搬送ベルトを幅方向に挟んでそれぞれ配される上搬送ガイドとを有し、幅方向における２本の搬送ベルトに挟まれた領域の内側で媒体が目視可能である。
【００１７】
これにより、紙幣が搬送される際に該紙幣の幅方向の両端部が下搬送ガイド及び上搬送ガイドの間に挟まれるように位置するので、ばたつきや端部の跳ね上げ等を低減することができ、搬送異常の際には、上搬送ガイド間から内部を目視で確認させることができると共に、上搬送ガイド間から除去対象の紙幣を除去させることができる。
【発明の効果】
【００１８】
本発明によれば、紙幣が搬送される際に該紙幣の幅方向の両端部が下搬送ガイド及び上搬送ガイドの間に挟まれるように位置するので、ばたつきや端部の跳ね上げ等を低減することができ、搬送異常の際には、上搬送ガイド間から内部を目視で確認させることができると共に、上搬送ガイド間から除去対象の紙幣を除去させることができ、かくして簡易な構成でメンテナンス性を向上することができる。
【図面の簡単な説明】
【００１９】
【図１】紙幣入出金機の外観構成を示す略線図である。
【図２】紙幣入出金機の内部構成を示す略線図である。
【図３】第１の実施の形態における搬送路の構成を示す略線図である。
【図４】カセット部上の搬送路を示す略線図である。
【図５】第２の実施の形態における搬送路の構成を示す略線図である。
【図６】第３の実施の形態における搬送路の構成を示す略線図である。
【図７】第４の実施の形態における搬送路の構成を示す略線図である。
【図８】第５の実施の形態における搬送路の構成を示す略線図である。
【図９】第６の実施の形態における搬送路の構成を示す略線図である。
【図１０】小窓部の着脱の様子を示す略線図である。
【図１１】従来の搬送路の構成を示す略線図である。
【発明を実施するための形態】
【００２０】
以下に、図面について、本発明の一実施の形態を詳述する。
〔１．第１の実施の形態〕
［１−１．紙幣入出金機の全体構成］
まず第１の実施の形態について説明する。図１に、第１の実施の形態における紙幣入出金機１の全体構成を示す。
【００２１】
紙幣入出金機１は、筐体２における前面に接客部３が設けられる。接客部３は、操作表示部４、入出金口５、カード入出口６、テンキー７及びレシート発行口８を含む。
【００２２】
操作表示部４は、取引操作の際に顧客に対して取引内容の画像を表示する例えば液晶ディスプレイやＥＬディスプレイ等でなる表示部と、顧客の操作入力を受け付けるタッチパネルとにより構成される。
【００２３】
入出金口５は、顧客との間で紙幣をやり取りする部分であり、入金時に媒体としての紙幣が顧客から投入され、出金時にカセット部１０に収納された紙幣が顧客に支払われる。
【００２４】
カード入出口６は、キャッシュカード等の各種カードが挿入または排出される部分である。カード入出口６の奥部には、各種カードに磁気記録された口座番号等の読み取りを行うカード処理部（図示せず）が設けられる。
【００２５】
テンキー７は、操作表示部４に表示される取引内容の画面に応じて、顧客が暗証番号等を入力する部分である。テンキー７は、筐体２の前面に対して傾斜し略水平となり、かつ操作中の顧客の正面に位置するように配されているので、背後にいる別の顧客に対して暗証番号等の入力を見られ難くしている。
【００２６】
レシート発行口８は、取引明細が印字されたレシートが発行される部分である。
【００２７】
紙幣入出金機１は、筐体２の内部に主制御部９、カセット部１０等が設けられる。主制御部９は、ＣＰＵ（Central Processing Unit）、ＲＡＭ（Random Access Memory）、ＲＯＭ（Read Only
Memory）等でなるマイクロコンピュータ、ハードディスクドライブ等の記憶部９Ａ、ホストコンピュータとの接続口であるインターフェイス部を含む構成とされ、各部を制御する。
【００２８】
カセット部１０は、顧客から投入された紙幣や、顧客に対して支払われる紙幣を金種別に収納する。
【００２９】
紙幣入出金機１は、筐体２の前面に近接検知器１１が設けられる。近接検知器１１は、顧客が接近したことを検知する。
【００３０】
図２は、図１の紙幣入出金機１を左右方向から見た側面図であり、該紙幣入出金機１の内部構成のうち主に紙幣の処理に関する部分を示している。紙幣入出金機１は、入出金口５、鑑別部１２、一時保留部１３、リジェクト庫１４及びカセット部１０等が設けられ、図中太線で示す搬送路１５を介して各部の間で紙幣が短辺方向に沿って搬送される。
【００３１】
鑑別部１２は、搬送路１５を介して搬送される紙幣の金種や真偽を判定する。一時保留部１３は、顧客との間で取引される紙幣を一時的に保留する。リジェクト庫１４は、鑑別部１２によって入出金不可と判定された紙幣を回収するものである。
【００３２】
紙幣入出金機１は、例えば顧客が紙幣を入金する入金取引を行う場合、主制御部９の制御に応じて、操作表示部４を介して所定の操作入力を受け付けた後、入出金口５の外部シャッタ５Ａ及び内部シャッタ５Ｂを開いて紙幣を投入させる。
【００３３】
続いて主制御部９は、投入された紙幣を搬送路１５を介して鑑別部１２へ搬送して鑑別させ、正常紙幣と鑑別された紙幣を一時保留部１３へ搬送して一時的に保留する一方、取引すべきでないと鑑別された紙幣を入出金口５へ搬送して顧客に返却する。
【００３４】
その後、主制御部９は、操作表示部４を介して顧客に入金金額を確定させ、一時保留部１３に保留している紙幣を再び鑑別部１２へ搬送して金種を再鑑別させて、鑑別された金種に応じてカセット部１０の各カセットへ搬送し収納させる。
【００３５】
［１−２．搬送路の構成］
搬送路１５は、図３に示すように、搬送方向に沿って平行に２本の搬送ベルト２１が紙幣ＢＬの長辺よりも短い間隔だけ離間して配される。搬送ベルト２１は、搬送方向に沿って離間して配される一対の搬送ローラ２２にそれぞれ掛け渡される。
【００３６】
搬送路１５は、搬送ベルト２１における下側部分と接するようにして該搬送ベルト２１に沿って下搬送ガイド２３が配される。下搬送ガイド２３は、金属材やプラスチック材等で形成され、紙幣ＢＬの長辺よりも長い横幅（幅方向の長さ）でなり、幅方向の中央に２本の搬送ベルト２１の中央が位置するように配される。
【００３７】
搬送路１５は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して金属材やプラスチック材等で形成される上搬送ガイド２４が搬送方向に沿って配される。すなわち上搬送ガイド２４は、２本の搬送ベルト２１に挟まれた領域を挟むように幅方向に分離して配される。
【００３８】
搬送路１５は、２本の搬送ベルト２１と下搬送ガイド２３との間で紙幣ＢＬを挟持し、搬送ローラ２２の回転に応じて紙幣を搬送する。
【００３９】
なお搬送路１５では、搬送ベルト２１と紙幣ＢＬとの摩擦力が下搬送ガイド２３と紙幣ＢＬとの摩擦力より大きくなるように各部（２１〜２３）が形成及び配置されているので、紙幣ＢＬが搬送ベルト２１との間で滑って搬送されないといったことがない。
【００４０】
また搬送路１５は、紙幣ＢＬが搬送される際に該紙幣ＢＬの長辺方向の両端部が下搬送ガイド２３及び上搬送ガイド２４の間に挟まれるように位置するので、紙幣ＢＬのばたつきや端部の跳ね上げ等を抑制することができる。
【００４１】
これにより搬送路１５は、搬送中に紙幣ＢＬが他の部品等に接触するなどしてジャムが発生することを低減することができる。
【００４２】
ところで搬送路１５では、紙幣ＢＬを搬送中にジャムが発生したり、紙幣ＢＬが破損するなどの搬送異常が発生することが考えられる。このような場合、紙幣入出金機１は、主制御部９の制御に応じて装置全体の運用を停止させてジャムの発生及び発生箇所を報知し、作業者に対してジャムが発生した紙幣ＢＬや破損した紙幣ＢＬの断片を除去させる。
【００４３】
作業者が紙幣ＢＬを除去する際、搬送路１５は、２本の搬送ベルト２１に挟まれた領域に上搬送ガイド２４が設けられていないので、該領域から内部を目視で確認させることができる。
【００４４】
これにより搬送路１５は、作業者に除去対象の紙幣ＢＬを従来と比して容易に発見させることができると共に、２本の搬送ベルト２１に挟まれた領域から除去対象の紙幣ＢＬを容易に取り出させることができる。
【００４５】
このように搬送路１５は、２本の搬送ベルト２１と下搬送ガイド２３に挟持された紙幣ＢＬの幅方向のばたつき等を抑制する上搬送ガイド２４を、２本の搬送ベルト２１に挟まれた領域外に設けるようにした簡易な構成で、除去対象の紙幣ＢＬを従来と比して容易に発見及び除去させるといったメンテナンス性を向上することができる。
【００４６】
なお搬送路１５のうちのカセット部１０の上部に配される搬送路１５Ａは、図４に示すように、搬送方向を切り換える切替ブレード３２が下搬送ガイド３１の間に配される。
【００４７】
下搬送ガイド３１は、搬送ベルト２１と対向する面が半円状に形成されており、搬送方向に沿って複数配される。
【００４８】
切替ブレード３２は、主制御部９の制御に応じてシャフト３２Ａを中心として回転することにより紙幣ＢＬの搬送する方向を切り替える。具体的には切替ブレード３２は、カセット部１０における金種に応じたカセットに紙幣ＢＬを搬送し、又は、搬送方向に沿って紙幣ＢＬを搬送する。
【００４９】
〔２．第２の実施の形態〕
次に第２の実施の形態について説明する。第２の実施の形態は、第１の実施の形態とは異なる構成の搬送路を有する実施の形態である。なお、搬送路以外の部分については、第１の実施の形態と同様である。
【００５０】
図５に示すように搬送路１００は、第１の実施の形態における搬送路１５の上搬送ガイド２４に代えて上搬送ガイド１０１が設けられており、他の部分は搬送路１５と同様に構成される。
【００５１】
搬送路１００は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して例えば透明なプラスチック材で形成される上搬送ガイド１０１が搬送方向に沿って配される。すなわち上搬送ガイド１０１は、２本の搬送ベルト２１に挟まれた領域を挟むように幅方向に分離して配される。
【００５２】
搬送路１００は、紙幣ＢＬが搬送される際に該紙幣ＢＬの幅方向の両端部が下搬送ガイド２３及び上搬送ガイド１０１の間に挟まれるように位置するので、紙幣ＢＬのばたつきや端部の跳ね上げ等を抑制することができ、搬送中に紙幣ＢＬが他の部品等に接触するなどしてジャムが発生することを低減することができる。
【００５３】
また搬送路１００は、紙幣ＢＬにジャムや破損等が発生した場合、２本の搬送ベルト２１に挟まれた領域、及び上搬送ガイド１０１に覆われている領域から内部を目視で確認させることができる。
【００５４】
これにより搬送路１００は、作業者に除去対象の紙幣ＢＬを第１の実施の形態における搬送路１５と比してより広い領域で確認させることができるので、除去対象の紙幣ＢＬをさらに容易に発見させることができると共に、２本の搬送ベルト２１に挟まれた領域から除去対象の紙幣ＢＬを容易に取り出させることができる。
【００５５】
このように搬送路１００は、２本の搬送ベルト２１と下搬送ガイド２３に挟持された紙幣ＢＬの幅方向のばたつき等を抑制する光透過性を有する上搬送ガイド１０１を、２本の搬送ベルト２１に挟まれた領域外に設けるようにした簡易な構成で、除去対象の紙幣ＢＬをより容易に発見及び除去させるといったメンテナンス性を向上することができる。
【００５６】
〔３．第３の実施の形態〕
次に第３の実施の形態について説明する。第３の実施の形態は、第１の実施の形態とは異なる構成の搬送路を有する実施の形態である。なお、搬送路以外の部分については、第１の実施の形態と同様である。
【００５７】
図６に示すように搬送路１１０は、第１の実施の形態における搬送路１５の上搬送ガイド２４に代えて上搬送ガイド１１１が設けられており、他の部分は搬送路１５と同様に構成される。
【００５８】
搬送路１１０は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して例えば透明なプラスチック材で形成される上搬送ガイド１１１が搬送方向に沿って配される。すなわち上搬送ガイド１１１は、２本の搬送ベルト２１に挟まれた領域を挟むように幅方向に分離して配される。
【００５９】
上搬送ガイド１１１は、搬送方向に沿って細長く上下方向に貫通した複数の孔（この実施の形態においては３つ）を有するフレーム部１１２と、該フレーム部１１２に設けられる複数の孔に嵌合される例えば透明なプラスチック材で形成される小窓部１１３とにより構成される。なお小窓部１１３は、光透過性を有するのであれば、他の部材により形成されていてもよい。
【００６０】
上搬送ガイド１１１は、フレーム部１１２及び小窓部１１３の下搬送ガイド２３と対向する面が同一平面上に位置するように配されているので、フレーム部１１２及び小窓部１１３の接触端での紙幣ＢＬの引っ掛かり等を防止する。
【００６１】
搬送路１１０は、紙幣ＢＬが搬送される際に該紙幣ＢＬの幅方向の両端部が下搬送ガイド２３及び上搬送ガイド１１１の間に挟まれるように位置するので、紙幣ＢＬのばたつきや端部の跳ね上げ等を抑制することができ、搬送中に紙幣ＢＬが他の部品等に接触するなどしてジャムが発生することを低減することができる。
【００６２】
また搬送路１１０は、紙幣ＢＬにジャムや破損等が発生した場合、２本の搬送ベルト２１に挟まれた領域、及び上搬送ガイド１１１の小窓部１１３に覆われている領域から内部を目視で確認させることができる。
【００６３】
これにより搬送路１１０は、作業者に除去対象の紙幣ＢＬを第１の実施の形態における搬送路１５と比してより広い領域で確認させることができるので、除去対象の紙幣ＢＬをさらに容易に発見させることができると共に、２本の搬送ベルト２１に挟まれた領域から除去対象の紙幣ＢＬを容易に取り出させることができる。
【００６４】
このように搬送路１１０は、２本の搬送ベルト２１と下搬送ガイド２３に挟持された紙幣ＢＬの幅方向のばたつき等を抑制する、光透過性の小窓部１１３を有する上搬送ガイド１１１を、２本の搬送ベルト２１に挟まれた領域外に設けるようにした簡易な構成で、除去対象の紙幣ＢＬをより容易に発見及び除去させるといったメンテナンス性を向上することができる。
【００６５】
〔４．第４の実施の形態〕
次に第４の実施の形態について説明する。第４の実施の形態は、第１の実施の形態とは異なる構成の搬送路を有する実施の形態である。なお、搬送路以外の部分については、第１の実施の形態と同様である。
【００６６】
図７に示すように搬送路１２０は、第１の実施の形態における搬送路１５の上搬送ガイド２４に代えて上搬送ガイド１２１が設けられており、他の部分は搬送路１５と同様に構成される。
【００６７】
搬送路１２０は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して例えば金属材や透明なプラスチック材等で形成される上搬送ガイド１２１が搬送方向に沿って配される。すなわち上搬送ガイド１２１は、２本の搬送ベルト２１に挟まれた領域を挟むように幅方向に分離して配される。
【００６８】
上搬送ガイド１２１は、幅方向における搬送ベルト２１とは反対側の端部分が支持部１２２に支持される。上搬送ガイド１２１は、図７（Ｂ）及び（Ｃ）の実線及び破線に示すように、支持部１２２を回転中心として水平な閉状態（実線）及び垂直な開状態（破線）の間で回転可能に該支持部１２２に支持される。
【００６９】
搬送路１２０は、紙幣ＢＬが搬送される際には上搬送ガイド１２１を閉状態にすることで紙幣ＢＬの幅方向の両端部が下搬送ガイド２３及び上搬送ガイド１２１の間に挟まれるように位置するので、紙幣ＢＬのばたつきや端部の跳ね上げ等を抑制することができ、搬送中に紙幣ＢＬが他の部品等に接触するなどしてジャムが発生することを低減することができる。
【００７０】
また搬送路１２０は、紙幣ＢＬにジャムや破損等が発生した場合、２本の搬送ベルト２１に挟まれた領域、及び上搬送ガイド１２１が光透過性の材料で形成されている場合には上搬送ガイド１２１に覆われている領域から内部を目視で確認させることができる。
【００７１】
また搬送路１２０は、作業者に除去対象の紙幣ＢＬを除去させる場合において、上搬送ガイド１２１に覆われた部分に除去対象の紙幣ＢＬがある場合でも、上搬送ガイド１２１を開状態にさせることで、上搬送ガイド１２１に覆われた部分の除去対象の紙幣ＢＬを容易に除去させることができる。
【００７２】
従って搬送路１２０は、第１の実施の形態における搬送路１５と比して、より広い領域から除去対象の紙幣ＢＬを容易に除去させることができる。
【００７３】
このように搬送路１２０は、２本の搬送ベルト２１と下搬送ガイド２３に挟持された紙幣ＢＬの幅方向のばたつき等を抑制する上搬送ガイド１２１が搬送方向を軸中心として回転可能に支持されることで、除去対象の紙幣ＢＬをより容易に発見及び除去させるといったメンテナンス性を向上することができる。
【００７４】
〔５．第５の実施の形態〕
次に第５の実施の形態について説明する。第５の実施の形態は、第１の実施の形態とは異なる構成の搬送路を有する実施の形態である。なお、搬送路以外の部分については、第１の実施の形態と同様である。
【００７５】
図８に示すように搬送路１３０は、第１の実施の形態における搬送路１５の上搬送ガイド２４に代えて上搬送ガイド１３１が設けられており、他の部分は搬送路１５と同様に構成される。
【００７６】
搬送路１３０は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して上搬送ガイド１３１が搬送方向に沿って配される。すなわち上搬送ガイド１３１は、２本の搬送ベルト２１に挟まれた領域を挟むように幅方向に分離して配される。
【００７７】
上搬送ガイド１３１は、搬送方向に沿って細長く上下方向に貫通した複数の孔（この実施の形態においては３つ）を有するフレーム部１３２と、該フレーム部１３２に設けられる複数の孔に配される例えば透明なプラスチック材で形成される小窓部１３３とにより構成される。なお小窓部１３３は、光透過性を有するのであれば、他の部材により形成されていてもよい。
【００７８】
小窓部１３３は、搬送方向における一端側が支持部１３４に支持される。なお、支持部１３４は、フレーム部１３２に固定される。
【００７９】
小窓部１３３は、図８（Ｂ）及び（Ｃ）の実線及び破線に示すように、支持部１３４を回転中心として水平な閉状態（実線）及び垂直な開状態（破線）の間で回転可能に該支持部１３４に支持される。
【００８０】
上搬送ガイド１３１は、小窓部１３３が閉状態において、フレーム部１３２及び小窓部１３３の下搬送ガイド２３と対向する面が同一平面上に位置するように配されているので、フレーム部１３２及び小窓部１３３の接触端での紙幣ＢＬの引っ掛かり等を防止する。
【００８１】
搬送路１３０は、紙幣ＢＬが搬送される際には小窓部１３３を閉状態にすることで紙幣ＢＬの幅方向の両端部が下搬送ガイド２３及び上搬送ガイド１３１の間に挟まれるように位置するので、紙幣ＢＬのばたつきや端部の跳ね上げ等を低減することができ、搬送中に紙幣ＢＬが他の部品等に接触するなどしてジャムが発生することを低減することができる。
【００８２】
また搬送路１３０は、紙幣ＢＬにジャムや破損等が発生した場合、２本の搬送ベルト２１に挟まれた領域、及び上搬送ガイド１３１の小窓部１３３に覆われている領域から内部を目視で確認させることができる。
【００８３】
また搬送路１３０は、作業者に除去対象の紙幣ＢＬを除去させる場合において、上搬送ガイド１３１に覆われた部分に除去対象の紙幣ＢＬがある場合でも、上搬送ガイド１３１の小窓部１３３を開状態にさせることで、上搬送ガイド１３１に覆われた部分の除去対象の紙幣ＢＬを容易に除去させることができる。
【００８４】
従って搬送路１３０は、第３の実施の形態における搬送路１１０と比して、より広い領域から除去対象の紙幣ＢＬを除去させることができる。
【００８５】
このように搬送路１３０は、２本の搬送ベルト２１と下搬送ガイド２３に挟持された紙幣ＢＬの幅方向のばたつき等を抑制し、上搬送ガイド１３１における光透過性の小窓部１３３を回転可能に支持することで、除去対象の紙幣ＢＬをより容易に発見及び除去させるといったメンテナンス性を向上することができる。
【００８６】
〔６．第６の実施の形態〕
次に第６の実施の形態について説明する。第６の実施の形態は、第１の実施の形態とは異なる構成の搬送路を有する実施の形態である。なお、搬送路以外の部分については、第１の実施の形態と同様である。
【００８７】
図９に示すように搬送路１４０は、第１の実施の形態における搬送路１５の上搬送ガイド２４に代えて上搬送ガイド１４１が設けられており、他の部分は搬送路１５と同様に構成される。
【００８８】
搬送路１４０は、２本の搬送ベルト２１に挟まれた領域の外側であって紙幣ＢＬの両端部がそれぞれ覆われるように、下搬送ガイド２３の上側に紙幣ＢＬの厚さよりも少しだけ離間して上搬送ガイド１４１が搬送方向に沿って配される。すなわち上搬送ガイド１４１は、２本の搬送ベルト２１に挟まれた領域を挟むように幅方向に分離して配される。
【００８９】
上搬送ガイド１４１は、搬送方向に沿って細長く上下方向に貫通した複数の孔（この実施の形態においては３つ）を有するフレーム部１４２と、該フレーム部１４２に設けられる複数の孔に着脱自在に配される例えば透明なプラスチック材で形成される小窓部１４３とにより構成される。なお小窓部１４３は、光透過性を有するのであれば、他の部材により形成されていてもよい。
【００９０】
小窓部１４３は、図９（Ｂ）及び（Ｃ）の実線及び破線に示すように、フレーム部１４２に装着された状態（実線）、及び該フレーム部１４２から取り外された状態（破線）を切り換えさせる。
【００９１】
具体的には小窓部１４３は、図１０に示すように、搬送方向に沿ってフレーム部１４２の側面と対向する一方の側面に突起部１４３Ａが設けられ、他方の側面であって突起部１４３Ａよりも高い位置に突起部１４３Ｂが設けられる。
【００９２】
小窓部１４３は、他方の側面側に上側が開口した溝部１４３Ｃが設けられ、溝部１４３Ｃよりも他方の側面側が上側に延在して摘みとして作業者に把持される把持部１４３Ｄが形成される。
【００９３】
フレーム部１４２は、突起部１４３Ａと対向する位置に該突起部１４３Ａが係合可能な溝部１４２Ａが設けられ、突起部１４３Ｂと対向する位置に該突起部１４３Ｂが係合可能な溝部１４２Ｂが設けられる。
【００９４】
従って小窓部１４３は、フレーム部１４２に装着された状態において、把持部１４４Ｄが溝部１４３Ｃ側に折り曲げられると、該把持部１４４Ｄの側面に設けられる突起部１４３Ｂがフレーム部１４２の溝部１４２Ｂから外れる。
【００９５】
そして小窓部１４３は、突起部１４３Ｂが溝部１４２Ｂから外れた状態で把持部１４４Ｄが上方向に引っ張られると、突起部１４３Ａを中心として回転しながら全体がフレーム部１４２から取り外される。
【００９６】
また、小窓部１４３は、フレーム部１４２から取り外された状態において、フレーム部１４２の溝部１４２Ａに突起部１４３Ａが係合された後、把持部１４３Ｄが下方向に押し込まれることによりフレーム部１４２の溝部１４２Ｂに突起部１４３Ｂが係合して装着される。
【００９７】
上搬送ガイド１４１は、小窓部１４３が装着された状態において、フレーム部１４２及び小窓部１４３の下搬送ガイド２３と対向する面が同一平面上に位置するように配されているので、フレーム部１４２及び小窓部１４３の接触端での紙幣ＢＬの引っ掛かり等を防止する。
【００９８】
搬送路１４０は、紙幣ＢＬが搬送される際には小窓部１４３が装着された状態で紙幣ＢＬの幅方向の両端部が下搬送ガイド２３及び上搬送ガイド１４１の間に挟まれるように位置するので、紙幣ＢＬのばたつきや端部の跳ね上げ等を低減することができ、搬送中に紙幣ＢＬが他の部品等に接触するなどしてジャムが発生することを低減することができる。
【００９９】
また搬送路１４０は、紙幣ＢＬにジャムや破損等が発生した場合、２本の搬送ベルト２１に挟まれた領域、及び上搬送ガイド１４１の小窓部１４３に覆われている領域から内部を目視で確認させることができる。
【０１００】
また搬送路１４０は、作業者に除去対象の紙幣ＢＬを除去させる場合において、上搬送ガイド１４１に覆われた部分に除去対象の紙幣ＢＬがある場合でも、上搬送ガイド１４１の小窓部１４３を取り外させることで、上搬送ガイド１４１に覆われた部分から除去対象の紙幣ＢＬを容易に除去させることができる。
【０１０１】
従って搬送路１４０は、除去対象の紙幣ＢＬを第３の実施の形態における搬送路１１０と比して、より広い領域から除去対象の紙幣ＢＬを容易に取り出させることができる。
【０１０２】
このように搬送路１４０は、２本の搬送ベルト２１と下搬送ガイド２３に挟持された紙幣ＢＬの幅方向のばたつき等を抑制し、上搬送ガイド１４１における光透過性の小窓部１４３を着脱自在に支持することで、除去対象の紙幣ＢＬをより容易に発見及び除去させるといったメンテナンス性を向上することができる。
〔７．他の実施の形態〕
【０１０３】
なお上述した実施の形態では、媒体としての紙幣を適用したが、本発明はこれに限らず、金権、切符、葉書など種々の媒体を適用することができる。
【０１０４】
さらに上述した実施の形態では、紙幣を取り扱う紙幣入出金機に適用したが、本発明はこれに限らず、コピー機やプリンタ、自動販売機、券売機など、種々の装置に適用することができる。
【０１０５】
さらに上述した実施の形態のおいては、搬送ベルトを２本設けるようにした場合について述べたが、本発明はこれにかぎらず、３本以上の搬送ベルトを設けるようにしてもよく、また搬送ベルトを１本設けるようにしてもよい。これらの場合であっても、紙幣ＢＬの幅方向の両端部に対向する位置に上述した上搬送ガイド２４、１０１、１１１、１２１、１３１及び１４１を設けることにより、上述した作用効果を奏することができる。
【産業上の利用可能性】
【０１０６】
本発明は、例えば紙葉類の表裏を揃える装置で広く利用することができる。
【符号の説明】
【０１０７】
１……紙幣入出金機、２……筐体、３……接客部、５……入出金口、９……主制御部、１０……カセット部、１２……鑑別部、１３……一時保留部、１４……リジェクト庫、１５……搬送路、１６……紙幣残留検知センサ、２１……搬送ベルト、２２……搬送ローラ、２３……下搬送ガイド、２４……上搬送ガイド、ＢＬ……紙幣。
【図１】
0005648648.tif 000002
【図２】
0005648648.tif 000003
【図３】
0005648648.tif 000004
【図４】
0005648648.tif 000005
【図５】
0005648648.tif 000006
【図６】
0005648648.tif 000007
【図７】
0005648648.tif 000008
【図８】
0005648648.tif 000009
【図９】
0005648648.tif 000010
【図１０】
0005648648.tif 000011
【図１１】
0005648648.tif 000012